(57)【要約】【課題】高精度でワークの芯出しができ、且つ、芯出しの再現性を高める。【解決手段】第１の方向に延在する複数のマスター側セレーション５５及び第１の方向と異なる第２の方向に延在するレール２１が取り付けられたマスター側セレーション面５２を有するマスタージョー５０と、マスター側セレーション面５２に、工作物を把持する複数のソフトジョー６０を備え、ソフトジョー６０に、マスター側セレーション５５に嵌合するソフト側セレーション６５を設けると共に、第２の方向に延在してレール２１が嵌合するレール溝３１を設ける。第２の方向においてセレーション成形時の誤差の累積の影響を受けず、さらに、レール２１とレール溝３１の嵌合において第１の方向の位置決めを確実に行うことができ、高精度でワークの芯出しを行うことができ、安価にして取付の再現性を向上することができる。【選択図】図３
2014155992.tif 000002
【特許請求の範囲】
【請求項１】
工作物を把持するチャック機構であって、
所定の回転軸を中心に回転可能であるステージと、
前記ステージに設けられた複数のマスタージョーであって、前記ステージの前記回転軸に向う方向に沿って移動可能であって且つ、第１の方向に延在する複数のマスター側セレーション及び第１の方向と異なる第２の方向に延在するレールが取り付けられたマスター側セレーション面を有するマスタージョーと、
前記マスタージョーの前記マスター側セレーション面にそれぞれ固定されて、前記工作物を把持する複数のソフトジョーであって、前記マスター側セレーション面と対向して配備され、且つ、前記第１の方向に延在して、前記マスター側セレーションに嵌合するソフト側セレーション、及び、前記第２の方向に延在して、前記レールが嵌合するレール溝が形成されたソフト側セレーション面を有するソフトジョーと、
を備えることを特徴とする工作機械用チャック機構。
【請求項２】
前記第１の方向と第２の方向が、互いに直交する方向であることを特徴とする請求項１記載の工作機械用チャック機構。
【請求項３】
前記第１の方向が前記ソフトジョーの幅方向であり、前記第２の方向が前記ソフトジョーの幅方向であることを特徴とする請求項１又は２記載の工作機械用チャック機構。
【請求項４】
前記レールより前記レール溝が長く、複数の前記レールが前記第２の方向に並んで設けられていることを特徴とする請求項１〜３のいずれか１項に記載の工作機械用チャック機構。
【請求項５】
前記レールの断面は前記マスター側セレーションより大きく、前記レール溝の断面は前記ソフト側セレーションより大きく、前記レール及び前記レール溝は断面が略三角形であり、前記レールの先端が面取りされていることを特徴とする請求項１〜４のいずれか１項に記載の工作機械用チャック機構。
【請求項６】
前記マスタージョーと前記ソフトジョーとを連結する連結部材を有し、前記各マスタージョーには、前記連結部材を挿入連結する溝が形成され、この溝に連結した前記連結部材と前記ソフトジョーとを螺着手段により連結し、この螺着手段を挟んだ両側に前記レールが配置されていることを特徴とする請求項１〜５のいずれか１項に記載の工作機械用チャック機構。
【請求項７】
前記ステージは、略円形の固定ステージと、前記固定ステージの径方向に移動可能に設けられ、且つ、前記マスタージョーが挿入される溝が形成された複数の可動ステージを有し、
前記複数のマスタージョーは、それぞれ、前記複数の可動ステージの前記溝の内側に固定されていることを特徴とする請求項１〜６のいずれか１項に記載の工作機械用チャック機構。
【請求項８】
前記マスタージョーと前記ソフトジョーとをそれぞれ連結する連結部材を有し、前記各マスタージョーには、前記連結部材を挿入する溝が形成されていることを特徴とする請求項１〜７のいずれか１項に記載の工作機械用チャック機構。
【請求項９】
前記連結部材は、本体と、この本体の先端側と基端側に設けられ該本体より幅広な先端，基端幅広部とを有し、前記連結部材に対応して、前記溝には本体を挿入する本体溝部と、先端，基端幅広部を挿入する先端，基端幅広溝部が設けられていることを特徴とする工作機械用チャック機構。
【請求項１０】
前記各ソフトジョーの前記ソフト側セレーション面には、前記連結部材の前記本体の先端と嵌合する嵌合溝が形成されていることを特徴とする請求項９記載の工作機械用チャック機構。
【請求項１１】
前記連結部材の前記溝の深さ方向の長さは、前記溝の深さよりも短いことを特徴とする請求項８に記載の工作機械用チャック機構。
【請求項１２】
請求項１〜１１のいずれか１項に記載の工作機械用チャック機構を備えることを特徴とする旋盤。
【請求項１３】
工作物を把持する工作機械用チャック機構に用いる爪材であって、
第１の方向に延在する複数のマスター側セレーション形成され、及び第１の方向と異なる第２の方向に延在するレールが配置されたマスター側セレーション面を有するマスタージョーと、
前記マスタージョーの前記マスター側セレーション面にそれぞれ固定されて、前記工作物を把持するソフトジョーであって、前記マスター側セレーション面と対向して配置され、且つ、前記第１の方向に延在して、前記マスター側セレーションに嵌合するソフト側セレーション、及び、第１の方向に延在してレールに嵌合するレール溝が形成されたソフト側セレーション面を有するソフトジョーと、
を備えることを特徴とする爪材。
【請求項１４】
前記第１の方向と前記第２の方向が、互いに直交する方向であることを特徴とする請求項１３に記載の爪材。
【請求項１５】
前記マスタージョーと前記ソフトジョーとをそれぞれ連結する連結部材を有し、前記マスタージョーには、前記連結部材を挿入する溝が形成されており、前記連結部材の前記溝の深さ方向の長さは、前記溝深さよりも短いことを特徴とする請求項１３に記載の爪材。
【発明の詳細な説明】
【技術分野】
【０００１】
本発明は、工作物を把持して工作機械に固定する為の工作機械用チャック機構、爪材、及び、チャック機構を有する旋盤に関する。
【背景技術】
【０００２】
一般に、工作物（ワーク）を切削加工する旋盤などの工作機械は、ステージと、ステージ上に工作物を固定するチャック機構と、ステージを高速回転させるスピンドルとを主に備えている。たとえば、円柱形状の工作物の外周面を切削加工する場合には、工作物の外周面をチャック機構により把持して、ステージに固定する。
【０００３】
例えば、特許文献１の工作機械用チャックには、円筒状のチャック本体と、チャック本体に、その円周方向に120度間隔で設けられ、且つ、チャック本体の径方向に沿ってスライド移動可能に取り付けられた３つのマスタージョーと、各マスタージョーに固定されてワークを把持するトップジョーとを有する工作機械用チャックが開示されている。
【０００４】
前記トップジョーは、それぞれ、マスタージョーにボルトで国定されており、エア等の圧力により、マスタージョーと共にチャック本体の径方向に沿ってスライド移動しうる。マスタージョーに固定されたトップジョーを径方向中心側に向かって移動させて、トップジョーの中心端面をワークの外周面に当接させることにより、ワークを把持している。
【０００５】
このとき、トップジョーの中心側端面は、ワーク外周面を中心側に向かって押圧しているので、その反力としてトップジョーの中心側端面には、径方向外側に向かう非常に大きな力が働くことになる。この反力は、マスタージョーに固定されているトップジョーを、径方向外側に向かって押す力として作用するので、マスタージョーとトップジョーとが堅く固定されていない場合等には、反力に負けてトップジョーが径方向外側にずれてしまう虞がある。
【０００６】
そこで、トップジョーが径方向外側に向かってずれることを防ぐために、マスタージョーとトップジョーとの、互いに当接する面にはそれぞれ、複数の鋸刃状の突起（セレーション）が形成されており、各鋸刃状の突起はチャック本体の周方向に延在している。これらのセレーションが互いに骸合した状態で、トップジョーとマスタージョーとが固定されるので、トップジョーは、セレーションの延在する方向（周方向）と直行する方向である径方向にずれる虞がない。
【先行技術文献】
【特許文献】
【０００７】
【特許文献１】特開２０００−２８８８０９号公報
【特許文献２】実開昭５９−９３８０４号公報
【特許文献３】実開平５−１６０１７号公報
【特許文献４】特開２００９−１２１５５号公報
【発明の開示】
【発明が解決しようとする課題】
【０００８】
ワークを精度よく加工する為には、スピンドルの回転中心とワークの中心とを十分な精度で位置合わせすること、即ち、十分高い精度でワークを芯出しすることが必要である。ここで、ワークを加工している途中に、ワークを工作機械用チャックから取り外すことがありうる。その際、トップジョーをマスタージョーから取り外してしまうと、再度同じトップジョーおよびマスタージョーを用いて、同じワークを把持する場合であっても、ワークの中心がスピンドルの回転中心からずれてしまうという問題があった。
【０００９】
ここで、トップジョーはマスタージョーにボルトで固定されているが、例えば、Ｍ16のボルトを用いる場合に、ボルトの外形は−２０μｍの公差で製作し、ボルト穴の内径は＋２０μｍの公差で形成することが規格で定められている。そのため、トップジョーをマスタージョーにボルトで固定する際に、これらの公差の範囲内で位置ずれする可能性があるからである。もっとも、前述のように、トップジョーとマスタージョーの当接面にはそれぞれ、周方向に延在するセレーションが形成されており、これらが互いに嵌合しているので、トップジョーが半径方向にずれる虞はないが、周方向について、前述のボルトとボルト穴の公差の範囲内でずれてしまうという問題があった。
【００１０】
また、特許文献２に記載の旋盤用チャックにおける生爪は、一方向に延びる表面突条が形成された旋盤用チャックの生爪取付部と、この表面突条に嵌合する溝が形成された生爪を含んでいる。ここで、生爪に形成された溝は複数の方向に延在する溝を含んでおり、これらの複数の方向のうち、いずれかの方向に沿って生爪を固定することができる。つまり、生爪を回転させつつ生爪取付部に固定できるので、生爪がワークを把持する端面を多数形成することができる。このような旋盤用チャックにおいても、同様に、生爪を取り付ける際に、生爪取付部の表面突条の延在する方向に、前述の公差の範囲内でずれてしまうという問題がある。
【００１１】
このような問題を避けるために、一度ワーク等を取り外した後、再度ワークを取り付ける際の、ワークの芯出しの再現性が高いチャックとして、特許文献３の歯面チャッキング爪には、前述の工作機械用チャックにおけるトップジョーに代えて、親爪及び子爪を備えるチャックが開示されている。ここで、親爪は略扇形の形状であって、マスタージョーにボルトで固定される。親爪の半径方向の両側面には、それぞれ子爪が取り付けられている。ここで、親爪及び子爪の、互いに当接する面にはそれぞれ、半径方向と直行する方向に延在する複数のセレーションが形成されており、これらが互いに嵌合した状態で子爪が親爪に固定される。
【００１２】
そして、ワークを把持する際には、親爪に子爪を取り付けた状態で、親爪がマスタージョーに固定され、マスタージョーとともに径方向中心側に向かってエア駆動される。子爪の径方向中心側の面がワークの外周面に当接してワークを保持する。ワークを取り外す際、たとえ子爪を取り外したとしても、親爪をマスタージョーから取り外さなければ、再度ワークを芯出しする際に再現性が保たれる。なぜならば、子爪と親爪との当接面には、前述のようにセレーション加工が施されているので、子爪の径方向の位置決めの再現性は高い。さらに、親爪を取り外さない限り、子爪の位置が周方向にずれる虞はないからである。
【００１３】
しかしながら、上述の親子爪を採用したチャックにおいては、一旦、親爪をマスタージョーから取り外すと、ワークの芯出しの再現性がなくなるため、親爪を常時マスタージョーに取り付けておく必要がある。また、旋盤に常時親爪が取り付けられていると、他の用途で旋盤を利用できなくなるという不都合が生じる。また、親爪及び子爪が必要となるので、チャックの重量が大きくなり、加工時にスピンドルの回転数を高くすることができない。さらに、チャックの部品点数が多くなるので、チャックの取り付け調整などの段取り時間及び部品交換にかかる時間が長くなり、作業時間の短縮が図れないという点も問題となる。
【００１４】
一方、特許文献４に記載のチャック機構は、マスタジョー側に交差する複数のセレーションを形成しなければならない。セレーションが複数形成されるため、各セレーションの形成時の誤差が累積される。また、ソフトジョー側も、交差する複数のセレーションを形成するため、マスタージョー側と同様に、各セレーションの形成時の誤差が累積される。従って、マスタージョーとソフトジョーの嵌合が不完全になる虞がある。また、加工に費用が掛かるという問題がある。
【００１５】
本発明の目的は、部品点数が少ないチャック機構であって、高精度でワークの芯出しができ、且つ、芯出しの再現性が高いチャック機構、爪材、及び、そのようなチヤツク機構を備える旋盤を提供することである。
【課題を解決するための手段】
【００１６】
（１）本発明は、工作物を把持するチャック機構であって、所定の回転軸を中心に回転可能であるステージと、前記ステージに設けられた複数のマスタージョーであって、前記ステージの前記回転軸に向う方向に沿って移動可能であって且つ、第１の方向に延在する複数のマスター側セレーション及び第１の方向と異なる第２の方向に延在するレールが取り付けられたマスター側セレーション面を有するマスタージョーと、前記マスタージョーの前記マスター側セレーション面にそれぞれ固定されて、前記工作物を把持する複数のソフトジョーであって、前記マスター側セレーション面と対向して配備され、且つ、前記第１の方向に延在して、前記マスター側セレーションに嵌合するソフト側セレーション、及び、前記第２の方向に延在して、前記レールが嵌合するレール溝が形成されたソフト側セレーション面を有するソフトジョーと、を備えることを特徴とする。
【００１７】
上記構成によれば、マスタージョー側セレーション面には、異なる２つの方向にマスター側セレーションとレールが配置されており、ソフト側セレーション面には、異なる前記２つの方向に延在し、前記マスター側セレーションとレールとそれぞれ嵌合するソフト側セレーションとレール溝が形成されているので、マスタージョーのセレーション面と、ソフトジョーのセレーション面とを対向させて、マスタージョーにソフトジョーを固定した場合に、ソフトジョーがマスタージョーのセレーション面の面方向にずれる虞がない。その為、マスタージョーにソフトジョーを取り付ける際の、取付の精度を高くすることができるとともに、取付の再現性も高くなる。
【００１８】
また、交差する複数のセレーションを形成する必要がなく、安価に製造できると共に、第２の方向においてセレーション成形時の誤差の累積の影響を受けず、さらに、レールとレール溝の嵌合において第１の方向の位置決めを確実に行うことができ、高精度でワークの芯出しを行うことができ、安価にして取付の再現性を向上することができる。
【００１９】
（２）また、本発明は、前記第１の方向と第２の方向が、互いに直交する方向であることを特徴とする。
【００２０】
上記構成によれば、マスター側セレーションとレール、及び、ソフト側セレーションとレール溝が互いに直交する方向に延在しているので、これら直交する２つの方向について、ソフトジョーのずれが抑制される。そのため、ソフトジョーがマスタージョーのセレーション面の面方向（セレーション面内の任意の方向）にずれる虞がなく、ソフトジョーの取付の再現性が向上する。
【００２１】
（３）また、本発明は、前記第１の方向が前記マスタージョーの幅方向（ステージの周方向）であり、前記第２の方向が前記マスタージョーの幅方向（ステージの半径方向）である。
【００２２】
上記構成によれば、マスター側セレーションとソフト側セレーションがマスタージョーの幅方向に形成され、レールとレール溝がマスタージョーの長さ方向に形成されているので、マスタージョーが、前記ステージの前記回転軸に向う方向とこれに交差する方向のずれが確実に防止される。
【００２３】
（４）また、本発明は、前記レールより前記レール溝が長く、複数の前記レールが前記第２の方向に並んで設けられている。
【００２４】
上記構成によれば、レール溝にレールを係合することにより、第１の方向に位置合わせすることができ、この状態で第２の方向において個々のセレーションの寸法単位で位置決することができる。さらに、複数のレールがレール溝に嵌合することにより、マスタージョーに対するソフトジョーの第１の方向に対する位置決めが正確になされる。
【００２５】
また、レール及びレール溝の断面は、セレーションの断面より大きく、マスタージョーにソフトジョーを取付ける際、レール溝にレールの先端側が入った後、セレーション同士が嵌合するから、マスタージョーに対してソフトジョーを第２の方向に位置合わせしながら近付けて、セレーション同士を嵌合しようとすると、レールがレール溝に嵌合する際、第１の方向の向の位置合わせがなされるため、主として第２の方向のみを注意しながらソフトジョーをマスタージョーの正しい位置に取り付けることができ、その作業を簡便に行うことができる。
【００２６】
（５）また、本発明は、前記レールの断面は前記マスター側セレーションの断面より大きく、前記レール溝の断面は前記ソフト側セレーションの断面より大きく、前記レール及び前記レール溝は断面が略三角形であり、前記レールの先端が面取りされている。
【００２７】
上記構成によれば、大きな断面のレールとレール溝との嵌合により取付強度に優れた位置あわせを行うことができる。また、断面が略三角形のレール溝に、先鋭なレールがスムーズに嵌合する。この際、レールの先端が面取りされているので、ソフトジョーのレール溝と嵌合する際に、先端がソフトジョーのレール溝の谷間に当接する虞がなく、レールの斜面とレール溝の斜面とを確実に面接触させることができ、ソフトジョーの取り付けの再現性を向上させることができる。
【００２８】
（６）また、本発明は、前記マスタージョーと前記ソフトジョーとを連結する連結部材を有し、前記各マスタージョーには、前記連結部材を挿入連結する溝が形成され、この溝に連結した前記連結部材と前記ソフトジョーとを螺着手段により連結し、この螺着手段を挟んだ両側に前記レールが配置されている。
【００２９】
上記構成によれば、寸法公差が発生する虞がある螺着手段を挟むようにしてレール及びレール溝を配置することにより、確実な位置決めができると共に、螺着手段を外した後の再度の取り付けでも、再現性の高いものになる。
【００３０】
（７）また、本発明は、前記ステージは、略円形の固定ステージと、前記固定ステージの径方向に移動可能に設けられ、且つ、前記マスタージョーが挿入される溝が形成された複数の可動ステージを有し、前記複数のマスタージョーは、それぞれ、前記複数の可動ステージの前記溝の内側に固定されている。
【００３１】
上記構成によれば、マスタージョーは、可動ステージに固定されているので、マスタージョーも可動ステージとともに固定ステージの径方向に移動することができる。
【００３２】
（８）また、本発明は、前記マスタージョーと前記ソフトジョーとをそれぞれ連結する連結部材を有し、前記各マスタージョーには、前記連結部材を挿入する溝が形成されている。
【００３３】
上記構成によれば、チャック機構が、マスタージョーとソフトジョーとを連結する連結部材を有しているので、ソフトジョーをマスタージョーに確実に連結できる。また、マスタージョーに連結部材を挿入する溝が形成されているので、連結部材の位置決めが容易となり、ソフトジョーをマスタージョーに固定する際の手間が軽減される。
【００３４】
（９）また、本発明は、前記連結部材は、本体と、この本体の先端側と基端側に設けられ該本体より幅広な先端，基端幅広部とを有し、前記連結部材に対応して、前記溝には本体を挿入する本体溝部と、先端，基端幅広部を挿入する先端，基端幅広溝部が設けられている。
【００３５】
上記構成によれば、溝の幅広溝部に連結部材の幅広部を挿入することにより、溝の深さ方向に連結部材が抜け出る虞がない。
【００３６】
（１０）また、本発明は、前記各ソフトジョーの前記ソフト側セレーション面には、前記連結部材の前記本体の先端と嵌合する嵌合溝が形成されている。
【００３７】
上記構成によれば、連結部材の脚部がソフトジョーに当接することが防止され、確実にソフトジョーとマスタージョーとを連結できる。
【００３８】
（１１）また、本発明は、前記連結部材の前記溝の深さ方向の長さは、前記溝の深さよりも短い。
【００３９】
上記構成によれば、連結部材の、溝の深さ方向の長さは、溝の深さよりも短い。つまり、連結部材をマスタージョーの溝に挿入したとき、連結部材の頂面を、マスタージョーのセレーション面よりも低くすることができる。そのため、ソフトジョーの、連結部材と対向する部分に、連結部材との当接を防ぐための溝等を形成する必要がなく、ソフトジョーの構造を簡略化できる。連結部材の溝の深さ方向の長さが溝の深さよりも短い場合であっても、上述のように、ソフトジョーがマスタージョーのセレーション面の面方向にずれる虞がない。
【００４０】
（１２）また、本発明は、請求項１〜１１のいずれか１項に記載の工作機械用チャック機構を備える。
【００４１】
上記構成によれば、本発明のチャック機構を備える旋盤が提供される。本発明の旋盤によれば、本発明のチャック工作物に応じて、ソフトジョーを交換した場合に、容易且つ迅速にワークの芯出しを行うことができる。
【００４２】
（１３）また、本発明は、工作物を把持する工作機械用チャック機構に用いる爪材であって、第１の方向に延在する複数のマスター側セレーション形成され、及び第１の方向と異なる第２の方向に延在するレールが配置されたマスター側セレーション面を有するマスタージョーと、前記マスタージョーの前記マスター側セレーション面にそれぞれ固定されて、前記工作物を把持するソフトジョーであって、前記マスター側セレーション面と対向して配置され、且つ、前記第１の方向に延在して、前記マスター側セレーションに嵌合するソフト側セレーション、及び、第１の方向に延在してレールに嵌合するレール溝が形成されたソフト側セレーション面を有するソフトジョーと、を備える。
【００４３】
上記構成によれば、マスタージョー側セレーション面には、異なる２つの方向にマスター側セレーションとレールが配置されており、ソフト側セレーション面には、異なる前記２つの方向に延在し、前記マスター側セレーションとレールとそれぞれ嵌合するソフト側セレーションとレール溝が形成されているので、マスタージョーのセレーション面と、ソフトジョーのセレーション面とを対向させて、マスタージョーにソフトジョーを固定した場合に、ソフトジョーがマスタージョーのセレーション面の面方向にずれる虞がない。その為、マスタージョーにソフトジョーを取り付ける際の、取付の精度を高くすることができるとともに、取付の再現性も非常に高くなる。
【００４４】
（１４）また、本発明は、前記第１の方向と前記第２の方向が、互いに直交する方向である。
【００４５】
上記構成によれば、マスター側セレーションとレール、及び、ソフト側セレーションとレール溝が互いに直交する方向に延在しているので、これら直交する２つの方向について、ソフトジョーのずれが抑制される。そのため、ソフトジョーがマスタージョーのセレーション面の面方向（セレーション面内の任意の方向）にずれる虞がなく、ソフトジョーの取付の再現性が向上する。
【００４６】
（１５）また、本発明は、前記マスタージョーと前記ソフトジョーとをそれぞれ連結する連結部材を有し、前記マスタージョーには、前記連結部材を挿入する溝が形成されており、前記連結部材の前記溝の深さ方向の長さは、前記溝深さよりも短い。
【００４７】
上記構成によれば、連結部材の脚部がソフトジョーに当接することが防止され、確実にソフトジョーとマスタージョーとを連結できる。
【発明の効果】
【００４８】
本発明のチャック機構に係るマスタージョーとソフトジョーとを利用することにより、安価にして取付の再現性が向上し、また、部品点数の少ないチャック機構が実現できるので、チャック機構を軽量化することができ、ワークを加工する際のスピンドルの回転数を高くすることができる。
【図面の簡単な説明】
【００４９】
【図１】本発明の実施例１に係る旋盤の概略図である。
【図２】同上、チャック機構の概略図である。
【図３】同上、チャック機構のソフトジョー、マスタージョー及び固定部材の概略図である。
【図４】同上、ソフトジョーの平面図である。
【図５】同上、ソフトジョーの側面図である。
【図６】同上、一部を断面にしたソフトジョーの正面図である。
【図７】同上、マスタージョーの正面図である。
【図８】同上、マスタージョーの平面図である。
【図９】同上、マスタージョーの側面図である。
【図１０】同上、ソフトジョーとマスタージョーとの嵌合を示す概略図である。
【図１１】同上、図１１（Ａ）は、円筒形状のワークの平面図であり、図１１（Ｂ）はワークの断面図である。
【図１２】同上、チャック機構でワークを把持した状態を表す概略図である。
【図１３】同上、断面図である。
【図１４】本発明の実施例１に係る断面図である。
【発明を実施するための形態】
【００５０】
以下、本発明の実施例を説明する。
【実施例１】
【００５１】
以下、本発明の実施例１を図１〜図１３に基づいて説明する。図１に示した旋盤１００は、加工される工作物（ワーク）を把持するためのチャック機構１と、チャック機構１を回転駆動するためのモータ（駆動源）１０１と、モータ１０１の回転軸と連動して、モータ１０１により生じた回転の動力をチャック機構１に伝達するシャフト（スピンドル）１０２と、モータ１０１の動作を制御するための制御部１０３とを備える。この制御部１０３からの指令に基づいて、モータ１０３の回転方向及び回転速度等が調整される。
【００５２】
図１及び図２に示すように、チャック機構１は、シャフト１０２に対して回転可能に設けられた略円筒型のステージ１２と、ステージ１２の周方向に沿って、約１２０度間隔で取り付けられた３つのマスタージョー５０と、それぞれのマスタージョー５０に固定された３つのソフトジョー（生爪）６０と、ソフトジョー６０をマスタージョー５０に固定する固定部材（連結部材）７０とを有している。
【００５３】
前記ステージ１２は、略円筒形状の固定ステージ１３と、固定ステージに設けられた複数の（３つ）の可動ステージ１４とを備える。前記固定ステージ１３の中心軸Ｘは、シャフト１０２の延在する方向と一致しており、固定ステージ１３は、シャフト１０２に同軸に且つ回転可能に固定されている。すなわち、ステージ１２の中心軸Ｘと、シャフト１０２及び固定ステージ１３の回転軸とは同軸上に存在している。固定ステージ１３のシャフト１０２と反対側の端面１３Ａには、３つの可動ステージ１４が、固定ステージ１３の半径方向に移動（摺動）可能に設けられている。各可動ステージ１４は、中心角が約１２０°の略アーチ型の形状、即ち、中心部がくり貫かれたドーナツ型の円盤を、ほぼ３等分して得られる扇形状であり、固定ステージ１３の中心軸Ｘを中心とする円周状に、ほぼ等間隔に設けられている。これらの可動ステージ１４は、駆動機構（図示せず）によって、固定ステージ１３の半径方向に沿って駆動される。各可動ステージ１４の固定ステージ１３と反対側の端面１４Ａは、平坦な面に形成されている。なお、可動ステージ１４は、固定ステージ１３に対して高精度に位置決めすることが可能である。例えば、所定の半径位置にあった可動ステージ１４を、半径方向外側に向かって移動させた後、再び、半径方向中心側に向かって移動させて、前記所定位置に戻した際の位置のずれを、１０μｍ以下に抑えることができる。
【００５４】
各可動ステージ１４の端面１４Ａには、マスタージョー５０を取り付けるための溝１５が設けられている。この溝１５は、本体溝部１５Ｈを構成する先端溝部１５Ｓ及び基端溝部１５Ｋを有し、その先端溝部１５Ｓが基端溝部１５Ｋより僅かに幅狭に形成され、前記先端溝部１５Ｓと基端溝部１５Ｋとの間に先端幅広溝部１６Ｓを設け、基端溝部１５Ｋの基端に基端幅広溝部１６Ｋを設け、これら先端幅広溝部１６Ｓ及び基端幅広溝部１６Ｋは、前記先端溝部１５Ｓ及び基端溝部１５Ｋより幅広に形成されている。それによって、溝１５の断面形状は略土字形状になっている。なお、図示されていないが、溝１５の底面部１５Ｔには、マスタージョー５０をボルトで固定するためのネジ穴（図示せず）が形成されている。
【００５５】
マスタージョー５０は、一方向（長さ方向）に延在する金属部材であって、その断面形状は略Ｔ字型である。つまり、マスタージョー５０は、前記溝１５に対応して、本体５１と、この本体５１の先端側と基端側に設けた先端幅広部５３Ｓ及び基端幅広部５３Ｋとを有し、これら幅広部５３Ｓ，５３Ｋは前記本体５１より幅広に形成されている。また、前記溝１５に対応して、前記本体５１は先端側が基端側に比べて幅広に形成されている。そして、マスタージョー５０は、溝１５の先端幅広溝部１６Ｓ及び基端幅広溝部１６Ｋに、その先端幅広部５３Ｓ及び基端幅広部５３Ｋを嵌合した状態で、溝１５に挿入される。従って、溝１５の延在方向（ステージ１２の半径方向）に沿って溝１５に挿入されたマスタージョー５０を、溝１５の深さ方向に、つまり、可動ステージ１４の端面１４ａに垂直に抜き出すことはできない。本体５１にはボルト穴（図示せず）が形成されており、前述の溝１５の底面部１５Ｔに形成されたネジ穴と対応させた状態で、マスタージョー５０が、可動ステージ１４の溝１５にボルトで固定される。
【００５６】
マスタージョー５０の本体５１の、基端側拡大部５３Ｋと反対側の表面（頂面、セレーション面、マスター側セレーション面）５２には、第１の方向のセレーション５５が第２の方向に並んで複数形成されていると共に、第２の方向にレール２１が設けられている。尚、レール２１は、マスタージョー５０及びソフトジョー６０より硬質で且つ耐摩耗性に優れた金属材料からなる。また、本体５２には、その長さ方向に延在する溝５７が形成されている。溝５７は、その深さ方向において、幅が異なる２つの空間（底部５７Ａ及び上部５７Ｂ）よりなる。底部５７Ａの幅は上部５７Ｂの幅よりも大きく、それによって、溝５７の断面形状は略Ｔ字形状になっている。そして、溝５７により前記表面５２は該溝５７を左右で挟む一側及び他側表面５２Ａ，５２Ａに分割されている。尚、一側及び他側表面５２Ａ，５２Ａの一方のみにセレーション５５を設けてもよい。
【００５７】
図３に示すように、本体５１の溝５７には、固定部材７０が挿入されている。固定部材７０は、一方向（長さ方向）に延在する金属部材であって、その断面形状は略Ｔ字型である。つまり、固定部材７０は、板状の頭部７１と、頭部７１から、その面方向に直交する方向（厚さ方向）に延び、且つ、頭部７１よりも幅の狭い脚部７２とを有している。固定部材７０は、頭部７１及び脚部７２がそれぞれマスタージョー５０の本体５１に形成された溝５７の底部５７Ａ及び上部５７Ｂと嵌合状態又は遊挿状態で、溝５７の長さ方向に沿って、溝５７に挿入される。マスタージョー５０を可動ステージ１４の溝１５に挿入した場合と同様に、固定部材７０の頭部７１の幅は溝５７の上部５７Ｂの幅よりも大きいので、溝５７に挿入された固定部材７０が溝５７の深さ方向に抜け出る虞はない。固定部材７０を溝５７に挿入したとき、脚部７２の頂面７２Ａは、マスタージョー５０のセレーション面５２よりも突出している。また、固定部材７０の脚部７２には、ソフトジョー６０をボルト６１で固定するためのネジ穴７２Ｂが形成されている。
【００５８】
ソフトジョー６０は、一方向（長さ方向：第２の方向）に長い略直方体の金属部材（例えば、Ｓ４５Ｃ鋼のような炭素鋼鋼材等）であって、固定部材７０にボルト６１で固定するためのボルト穴６０Ａが複数形成されている。この場合、２つのボルト穴６０Ａはソフトジョー６０の長さ方向（第２の方向）に間隔をおいて配置されている。また、ボルト穴６０Ａは、ボルト６１の頭部を挿入する径大部６０Ｂと、ボルト６１の螺子部を挿通する径小部６０Ｃとを備える。図４及び図５に示すように、ソフトジョー６０の、マスタージョー５０のセレーション面５２と当接する面（頂面、セレーション面、ソフト側セレーション面）６２には、第１の方向のセレーション６５及び第２の方向のレール溝３１が形成されている。さらに、ソフトジョー６０のセレーション面６２には、長さ方向に延在する嵌合溝たる溝６７が形成されている。溝６７の幅はマスタージョー５０の溝５７の上部５７Ｂの幅とほぼ同じであり、前記脚部７２が嵌合又は遊挿される。溝６７は、後述するように固定部材７０を用いてソフトジョー６０をマスタージョー５０に固定する際に、固定部材７０の脚部７２がソフトジョー６０に当接することを防いでいる。そして、溝６７により前記表面６２は該溝６７を左右で挟む一側及び他側表面６２Ａ，６２Ａに分割されている。
【００５９】
図９に示すように、前記セレーション６５は、第１の方向であるソフトジョー６０の幅方向に長く、且つ、セレーション面６２Ａに垂直な方向に向かって突出する複数の筋状の鋸歯６５Ａを有し、これらの鋸歯６５Ａは、所定のピッチＰ（１．５ｍｍ）でソフトジョー６０の長さ方向に並んでいる。各鋸歯６５Ａの断面形状は略正三角形であって、各鋸歯６５Ａは、面取り加工が施された先端部６５Ｂ（セレーション面６２Ａに垂直な方向の先端）と、先端部６５Ｂから傾斜する２つの斜面６５Ｃとを有する。
【００６０】
図４に示すように、マスタージョー５０のセレーション面５２に形成されたセレーション５５は、第１の方向である幅方向に長く、且つ、セレーション面６２Ａに垂直な方向に向かって突出する複数の筋状の鋸歯５５Ａを有し、この鋸歯５５Ａはマスタージョーの幅方向に形成され、それらの鋸歯５５Ａは、前記鋸歯５５Ａと同一な所定のピッチＰ（１．５ｍｍ）で長さ方向に並んでいる。各鋸歯５５Ａの断面形状は略正三角形であって、各鋸歯５５Ａは、面取り加工が施された先端部５５Ｂ（セレーション面５２に垂直な方向の先端）と、先端部５５Ｂから傾斜する２つの斜面５５Ｃとを有する。このような、所定の方向に延在し、且つ、所定のピッチで並ぶ複数の鋸歯５５Ａ，６５Ａは、例えばセレーションカッターを用いて、セレーション加工を施すことにより形成することができる。また、鋸歯５５Ａ，６５Ａの角度は５５度〜６５度、この例では６０度である。さらに、セレーション５５，６５には、幅方向両端部において、面取り部５５Ｍ，６５Ｍが形成されている。
【００６１】
また、前記レール２１は、前記ボルト穴６０Ａ，６０Ａを挟んだ左右に設けられ、即ち第１の方向において、レール２１、ボルト穴６０Ａ、レール２１が並んで設けられ、また、第２の方向において、レール２１，２１同士が同一直線上に位置する。そして、レール２１は、前記表面５２に形成された装着溝２２と、この装着溝２２に装着したレール本体２３とを備える。また、レール２１は一側及び他側表面５２Ａ，５２Ａの幅方向中央にそれぞれ位置する。さらに、レール本体２３の先端側の断面形状は略正三角形であって、面取り加工が施された先端部２３Ａ（セレーション面５２に垂直な方向の先端）と、先端部２３Ａから傾斜する２つの斜面２３Ｂとを有する。また、先端部２３Ａの角度は５５度〜６５度、この例では６０度である。尚、レール２１を一側及び他側表面５２Ａ，５２Ａの一方のみに設けてもよい。
【００６２】
また、前記レール溝３１は、前記レール２１に対応して、表面５２のセレーション６５を施した部分の全長に設けられ、第１の方向に連続して形成されている。また、レール３１は一側及び他側表面６２Ａ，６２Ａの略幅方向中央にそれぞれ位置する。尚、レール溝３１の角度はレール２１と同一である。さらに、レール溝３１の断面形状は略正三角形であり、両側に斜面３１Ａ，３１Ａを有する。また、前記表面５２の第１の方向一側（取付状態における半径方向の中央側）には、段差面３２を形成し、セレーションが設けられておらず、また、表面５２の第２の方向両側には、面取り部３３，３３Ａを設け、この面取り部３３Ａはセレーション６５を設けた表面５２と段差面３２との間に形成されている。また、前記レール溝３１は、セレーション６５を設けた表面５２の全長に形成され、段差面３２には形成されていない。
【００６３】
次に、マスタージョー５０のセレーション面５２と、ソフトジョー６０のセレーション面６２とを当接させる場合について説明する。図１０に示すように、マスタージョー５０とソフトジョー６０との長さ方向を一致させた状態で、マスタージョー５０のセレーション面５２と、ソフトジョー６０のセレーション面６２とを当接させると、まず、レール溝３１にレール２１が係入し、次に、セレーション５５とセレーション６５とが互いに嵌合する。具体的には、鋸歯５５Ａの斜面５５Ｃと、セレーション６５の鋸歯６５Ａの斜面６５Ｃとが当接する。ここで、鋸歯５５Ａの先端部５５Ｂと、鋸歯６５Ａの先端部６５Ｂには、それぞれ面取り加工が施されている。そのため、これらの先端部５５Ｂ、６５Ｂが対向するセレーション面６２、５２に当接することはなく、鋸歯５５Ａの斜面５５Ｃと、鋸歯６５Ａの斜面６５Ｃとが面接触することができる。
【００６４】
ここで、マスタージョー５０のセレーション面５２に形成されている鋸歯５５Ａの並ぶピッチは、鋸歯６５Ａの並ぶピッチと同一である。さらに、鋸歯５５Ａは、鋸歯６５Ａの延在する方向に対応して、マスタージョー５０の長さ方向に並んでいる。そのため、マスタージョー５０のセレーション面５２に形成された鋸歯５５Ａは、ソフトジョー６０のセレーション面６２の鋸歯６５Ａと嵌合する。また、レール２１はレール溝３１に嵌合する。そのため、ソフトジョー６０を、長さ方向について１８０度反転させて使用することも可能である。
【００６５】
次に、上述のチャック機構１を備える旋盤１００を用いて、円筒型のワーク８０の内筒面８０ａを加工する手順について、以下に説明する。図１２に示すように、ワーク８０は内筒面８０ａ及び外筒面８０Ｂを有する略円筒形状の金属部材である。
【００６６】
まず、可動ステージ１４にチャック機構１を取り付ける。具体的には、まず、３つの可動ステージ１４を駆動して、例えば、最も中心寄りの位置などの所定の半径位置に位置付ける。次に、図２に示されるように、可動ステージ１４に形成された溝１５に、マスタージョー５０を挿入して、ボルトで固定する。次に、マスタージョー５０の本体５２に形成された溝５７に、固定部材７０を挿入する。さらに、マスタージョー５０のセレーション面５２と、ソフトジョー６０のセレーション面６２とを対向させて、ソフトジョー６０のボルト穴６０Ａにボルト６１を挿入して、固定部材７０に固定する。すなわち、ソフトジョー６０と固定部材７０とをボルト６１で締めして、固定部材７０の頭部７１とソフトジョー６０のセレーション面６２Ａとの間に、マスタージョー５０の本体部５２を挟んだ状態で締め付ける。これにより、ソフトジョー６０がマスタージョー５０に対して固定される。
【００６７】
このとき、各可動ステージ１４に取り付けられるソフトジョー６０の、可動ステージ１４の半径方向（以下、単に半径方向と呼ぶ）中心側の端面６０Ｔと、可動ステージ１４の中心Ｏとの距離がそれぞれ、ワーク８０の外径よりも小さくなるように配置し、上述したようにソフトジョー６０をマスタージョー５０に固定する。
【００６８】
次に、旋盤１００を駆動して固定ステージ１３（可動ステージ１４）を回転させ、ソフトジョー６０の先端を切削加工して、ソフトジョー６０の端面６０Ｂに円筒面に対応する把持面６９Ａを形成する。これにより、把持面６９Ａの曲率中心は、固定ステージ１３及び可動ステージ１４の中心、即ち、固定ステージの回転軸と完全に一致することになる。つまり、把持面６９Ａは、固定ステージ１３及び可動ステージ１４に対して、芯出しされる。
【００６９】
次に、駆動機構（図示せず）により、可動ステージ１４を固定ステージ１３の半径方向外側に向かって駆動する。ソフトジョー６０の端面６０Ｂ（把持面６９Ａ）が半径方向外側に向かって広がるので、ソフトジョー６０の端面６０Ｂの内側に、ワーク８０を配置することができる。可動ステージ１４の中心にワーク８０を配置した後、可動ステージ１４を再び半径方向内側に向かって駆動して、図１２に示すように、ワーク８０の外筒面８０Ｂをソフトジョー６０の把持面６９Ａで把持する。ここで、前述の通り、可動ステージ１４を半径方向外側に駆動した後、再び半径方向内側に駆動してもとの位置に戻した場合であっても、可動ステージ１４の半径方向の位置がずれることはない。つまり、可動ステージ１４の駆動前後を通じて、把持面６９Ａの曲率中心は可動ステージ１４の中心Ｏに対して、１ミクロン以下の精度で完全に一致している。従って、把持面６９Ａに把持されるワーク８０の中心を、１ミクロン以下の精度で、可動ステージ１４の中心Ｏに一致させることができる。
【００７０】
このようにワーク８０を正確な位置に保持するには、ソフトジョー６０の半径方向位置の精度を上げることが必要であり、即ち第１の方向のセレーション５５，６５の嵌合が重要であることが解る。
【００７１】
上述のようにして、ワーク８０の芯出しを行った後、旋盤１００を駆動して、ワーク８０が固定された可動ステージ１４及び固定ステージ１３を回転させつつ、ワーク８０の内筒面８０Ａを切削加工する。
【００７２】
ここで、前述のように、従来の旋盤のチャック機構においては、マスタージョーからソフトジョーを取り外した後、再び、ソフトジョーをマスタージョーに取り付けた場合には、ソフトジョーの把持面の曲率中心が固定ステージ等の中心からずれる虞があった。そのため、ソフトジョーをマスタージョーに取り付けるたびに、芯出しを行わなければならなかった。つまり、ソフトジョーをマスタージョーに取り付けるたびに、ソフトジョーの端面の加工をやり直して、新たに、芯出しされた把持面を形成する必要があった。そのため、ソフトジョーを交換するごとに、上述の芯出しの工程に時間と労力が費やされるという問題があった。
【００７３】
これに対して、本実施形態のチャック機構１は、マスタージョー５０からソフトジョー６０を取り外した後、再び、ソフトジョー６０をマスタージョー５０に取り付ける場合において、取り付けの再現性が高く、ソフトジョー６０の把持面６９Ａの曲率中心と固定ステージ等の中心Ｏとがずれることはない。そのため、再度ソフトジョー６０をマスタージョー５０に取り付けた際に、ソフトジョーの端面の加工をやり直す必要がなく、上述の芯出しの工程を大幅に軽減することができる。
【００７４】
本発明に係るチャック機構１において、ソフトジョー６０の取り付けの再現性を非常に高くすることができる。即ちソフトジョー６０のセレーション面６２の一側及び他側表面６２Ａ，６２Ａには、周方向に延在するセレーション６５（複数の鋸歯６５Ａ）が形成され、マスタージョー５０のセレーション面５２に形成された鋸歯５５Ａと嵌合している。ここで、図１０に示すように、セレーション６５の各鋸歯６５Ａの斜面６５Ｃと、鋸歯５５Ａの斜面５５Ｃとは、互いに面接触している。そのため、ソフトジョー６０がマスタージョー５０に配置される際に、鋸歯６５Ａが延びる周方向に直交する方向（半径方向）にずれる虞がないため、この方向についての取り付け位置の再現性が非常に高くなる。
【００７５】
さらに、ソフトジョー６０のセレーション面６２の一側及び他側表面６２Ａ，６２Ａには、それぞれレール溝３１，３１が形成され、マスタージョー５０のセレーション面５２に形成されたレール２１と嵌合している。また、レール２１の先端部２３Ａの斜面２３Ｂと、レール溝３１の斜面３１Ａとは、互いに面接触しているので、ソフトジョー６０がマスタージョー５０に配置される際に、半径方向に直交する方向（周方向）にずれる虞がないため、この方向についての取り付け位置の再現性も非常に高くなる。
【００７６】
つまり、レール溝３１にレール２１を係合することにより、第１の方向に正確に位置合わせすることができ、この状態で第２の方向において個々のセレーション５５，６５の寸法単位で位置決することができる。さらに、複数のレール２１がレール溝３１に嵌合することにより、マスタージョー５０に対するソフトジョー６０の第１の方向に対する位置決めが正しくなされる。しかも、交差する複数のセレーションを形成する必要がなく、安価に製造できると共に、第２の方向においてセレーション成形時の誤差の累積の影響を受けず、さらに、レール２１とレール溝３１の嵌合において第１の方向の位置決めを確実に行うことができ、高精度でワークの芯出しを行うことができ、安価にして取付の再現性を向上することができる。
【００７７】
また、実施例上の効果の効果として、取付状態で、レール２１は、ソフトジョー６０のボルト穴６０Ａの小径部６０Ｃの両側に位置するから、レール２１とレール溝３１の嵌合によりボルト穴６０Ａの位置を正確な位置に設定し、マスタージョー５０に対するソフトジョー６０の取り付け精度を向上することができる。さらに、マスタージョー５０にレール２１を設けたから、ソフトジョー６０を安価に製造することができる。また、ソフトジョー６０の表面５２の第２の方向両側には、面取り部３３，３３Ａを設けたから、ソフトジョー６０の取り扱いで、表面５２両側の鋸歯５５Ａの損傷を防止できる。さらに、セレーション５５，６５には、幅方向両端部において、面取り部５５Ｍ，６５Ｍが形成されていから、鋸歯５５Ａ，６５Ａの両端側の損傷を防止できる。また、四箇所のレール２１及びレール溝３１により確実な位置決めがなされる。
【実施例２】
【００７８】
図１４は、本発明の実施例２を示し、上記実施例１と同一部分に同一符号を付し、その詳細な説明を省略して詳述する。この例では、固定部材７０の脚部７２の長さは、マスタージョー５０の溝５７の深さよりも短く、固定部材７０をマスタージョー５０の溝５７に挿入したとき、固定部材７０の頂面７２が、マスタージョー５０のセレーション面５２よりも低く形成されている。したがって、ソフトジョー６０には、溝６７を形成する必要がなく、表面６２の幅方向全長に鋸歯６５Ａを形成することができる。
【００７９】
このように本実施例では、溝６７と脚部７２の嵌合がないため、レール２１とレール溝３１によりマスタージョー５０とソフトジョー６０の第２の方向（幅方向）の位置決めが正確になされる。
【００８０】
なお、上記実施形態等において、マスタージョー及びソフトジョーの大きさ、材料、形状及び配置などは、ワークの形状及び材質に合わせて任意に設定しうる。例えば、ワークが略円筒形あるいは円環状の形状でなく、多角柱の形状である場合であっても、ソフトジョーの形状をワークの形状に適合させることにより本発明のチャック機構として利用しうる。さらに、上記実施形態では、ワークを外側から把持する場合を例に挙げて説明してきたが、ワーク８０を内側から把持する際にも、本発明のチャック機構を用いることができる。
【００８１】
上記実施形態において、チャック機構のマスタージョーは、固定ステージの径方向に移動可能である可動ステージ上に固定されていた。しかしながら、マスタージョーが、例えばエア、油圧などを利用した駆動機構により、固定ステージの径方向に移動可能に設けられていてもよい。また、必ずしも固定部材が必要ではなく、例えば、マスタージョーにネジ孔が形成されるなどして、ソフトジョーがマスタージョーに直接ボルト等で固定されていてもよい。
【００８２】
上記実施形態においては、チャック機構は工作機械としての旋盤に取り付けられていたが、本発明のチャック機構を備える工作機械は、旋盤に限られない。上記実施形態の旋盤においては、チャック機構に固定されたワークを、高速回転させながら、ワークを加工していた。それに限らず、例えば、フライス盤及びマシニングセンターのように、ワークをチャック機構に固定した状態で、高速に移動する刃部を用いてワークを加工する工作機械に本発明のチャック機構を用いることもできる。
【００８３】
また、上記実施例では、図４に示したように、レールを第２の方向において２つ設ける例を示したが、レールは１つでも、３つ以上でもよく、例えばチャック機構（ステージ）の直径が３００ｍｍ以上のものにおいては、レールを第２の方向において、等間隔で３つ設けることが好ましい。
【符号の説明】
【００８４】
１  チャック機構
１２  ステージ
１３  固定ステージ
１４  可動ステージ
２１  レール
３１  レール溝
５０  マスタージョー
５１  本体
５２  表面
５５  セレーション
６０  ソフトジョー（生爪）
６５  セレーション
６７  溝（嵌合溝）
７０  固定部材（連結部材）
【図１】
2014155992.tif 000003
【図２】
2014155992.tif 000004
【図３】
2014155992.tif 000005
【図４】
2014155992.tif 000006
【図５】
2014155992.tif 000007
【図６】
2014155992.tif 000008
【図７】
2014155992.tif 000009
【図８】
2014155992.tif 000010
【図９】
2014155992.tif 000011
【図１０】
2014155992.tif 000012
【図１１】
2014155992.tif 000013
【図１２】
2014155992.tif 000014
【図１３】
2014155992.tif 000015
【図１４】
2014155992.tif 000016
【手続補正書】
【提出日】平成25年5月16日(2013.5.16)
【手続補正１】
【補正対象書類名】特許請求の範囲
【補正対象項目名】全文
【補正方法】変更
【補正の内容】
【特許請求の範囲】
【請求項１】
工作物を把持するチャック機構であって、
所定の回転軸を中心に回転可能であるステージと、
前記ステージに設けられた複数のマスタージョーであって、前記ステージの前記回転軸に向う方向に沿って移動可能であって且つ、第１の方向に延在する複数のマスター側セレーション及び第１の方向と異なる第２の方向に延在するレールが取り付けられたマスター側セレーション面を有するマスタージョーと、
前記マスタージョーの前記マスター側セレーション面にそれぞれ固定されて、前記工作物を把持する複数のソフトジョーであって、前記マスター側セレーション面と対向して配備され、且つ、前記第１の方向に延在して、前記マスター側セレーションに嵌合するソフト側セレーション、及び、前記第２の方向に延在して、前記レールが嵌合するレール溝が形成されたソフト側セレーション面を有するソフトジョーと、
を備えることを特徴とする工作機械用チャック機構。
【請求項２】
前記第１の方向と第２の方向が、互いに直交する方向であることを特徴とする請求項１記載の工作機械用チャック機構。
【請求項３】
前記第１の方向が前記ソフトジョーの幅方向であり、前記第２の方向が前記ソフトジョーの長さ方向であることを特徴とする請求項１又は２記載の工作機械用チャック機構。
【請求項４】
前記レールより前記レール溝が長く、複数の前記レールが前記第２の方向に並んで設けられていることを特徴とする請求項１〜３のいずれか１項に記載の工作機械用チャック機構。
【請求項５】
前記レールの断面は前記マスター側セレーションより大きく、前記レール溝の断面は前記ソフト側セレーションより大きく、前記レール及び前記レール溝は断面が略三角形であり、前記レールの先端が面取りされていることを特徴とする請求項１〜４のいずれか１項に記載の工作機械用チャック機構。
【請求項６】
前記マスタージョーと前記ソフトジョーとを連結する連結部材を有し、前記各マスタージョーには、前記連結部材を挿入連結する溝が形成され、この溝に連結した前記連結部材と前記ソフトジョーとを螺着手段により連結し、この螺着手段を挟んだ両側に前記レールが配置されていることを特徴とする請求項１〜５のいずれか１項に記載の工作機械用チャック機構。
【請求項７】
前記ステージは、略円形の固定ステージと、前記固定ステージの径方向に移動可能に設けられ、且つ、前記マスタージョーが挿入される溝が形成された複数の可動ステージを有し、
前記複数のマスタージョーは、それぞれ、前記複数の可動ステージの前記溝の内側に固定されていることを特徴とする請求項１〜６のいずれか１項に記載の工作機械用チャック機構。
【請求項８】
前記マスタージョーと前記ソフトジョーとをそれぞれ連結する連結部材を有し、前記各マスタージョーには、前記連結部材を挿入する溝が形成されていることを特徴とする請求項１〜７のいずれか１項に記載の工作機械用チャック機構。
【請求項９】
前記マスタージョーは、本体と、この本体の先端側と基端側に設けられ該本体より幅広な先端，基端幅広部とを有し、
前記可動ステージには、前記マスタージョーに対応して、前記溝に前記本体を挿入する本体溝部と、前記先端，基端幅広部を挿入する先端，基端幅広溝部が設けられていることを特徴とする請求項７記載の工作機械用チャック機構。
【請求項１０】
前記各ソフトジョーの前記ソフト側セレーション面には、前記連結部材の本体の先端と嵌合する嵌合溝が形成されていることを特徴とする請求項８記載の工作機械用チャック機構。
【請求項１１】
前記連結部材は、前記溝の深さ方向の長さが、前記溝の深さよりも短く、前記連結部材を前記溝に挿入したとき、前記連結部材の頂面が、前記マスタージョーの前記マスター側セレーション面よりも低く形成されていることを特徴とする請求項８に記載の工作機械用チャック機構。
【請求項１２】
請求項１〜１１のいずれか１項に記載の工作機械用チャック機構を備えることを特徴とする旋盤。
【請求項１３】
工作物を把持する工作機械用チャック機構に用いる爪材であって、
第１の方向に延在する複数のマスター側セレーションが形成され、及び第１の方向と異なる第２の方向に延在するレールが配置されたマスター側セレーション面を有するマスタージョーと、
前記マスタージョーの前記マスター側セレーション面にそれぞれ固定されて、前記工作物を把持するソフトジョーであって、前記マスター側セレーション面と対向して配置され、且つ、前記第１の方向に延在して、前記マスター側セレーションに嵌合するソフト側セレーション、及び、第１の方向に延在してレールに嵌合するレール溝が形成されたソフト側セレーション面を有するソフトジョーと、
を備えることを特徴とする爪材。
【請求項１４】
前記第１の方向と前記第２の方向が、互いに直交する方向であることを特徴とする請求項１３記載の爪材。
【請求項１５】
前記マスタージョーと前記ソフトジョーとをそれぞれ連結する連結部材を有し、前記マスタージョーには、前記連結部材を挿入する溝が形成されており、前記連結部材は、前記溝の深さ方向の長さが、前記溝の深さよりも短く、前記連結部材を前記溝に挿入したとき、前記連結部材の頂面が、前記マスタージョーの前記マスター側セレーション面よりも低く形成されていることを特徴とする請求項１３記載の爪材。
【手続補正２】
【補正対象書類名】明細書
【補正対象項目名】全文
【補正方法】変更
【補正の内容】
【発明の詳細な説明】
【技術分野】
【０００１】
本発明は、工作物を把持して工作機械に固定する為の工作機械用チャック機構、爪材、及び、チャック機構を有する旋盤に関する。
【背景技術】
【０００２】
一般に、工作物（ワーク）を切削加工する旋盤などの工作機械は、ステージと、ステージ上に工作物を固定するチャック機構と、ステージを高速回転させるスピンドルとを主に備えている。たとえば、円柱形状の工作物の外周面を切削加工する場合には、工作物の外周面をチャック機構により把持して、ステージに固定する。
【０００３】
例えば、特許文献１の工作機械用チャックには、円筒状のチャック本体と、チャック本体に、その円周方向に120度間隔で設けられ、且つ、チャック本体の径方向に沿ってスライド移動可能に取り付けられた３つのマスタージョーと、各マスタージョーに固定されてワークを把持するトップジョーとを有する工作機械用チャックが開示されている。
【０００４】
前記トップジョーは、それぞれ、マスタージョーにボルトで国定されており、エア等の圧力により、マスタージョーと共にチャック本体の径方向に沿ってスライド移動しうる。マスタージョーに固定されたトップジョーを径方向中心側に向かって移動させて、トップジョーの中心端面をワークの外周面に当接させることにより、ワークを把持している。
【０００５】
このとき、トップジョーの中心側端面は、ワーク外周面を中心側に向かって押圧しているので、その反力としてトップジョーの中心側端面には、径方向外側に向かう非常に大きな力が働くことになる。この反力は、マスタージョーに固定されているトップジョーを、径方向外側に向かって押す力として作用するので、マスタージョーとトップジョーとが堅く固定されていない場合等には、反力に負けてトップジョーが径方向外側にずれてしまう虞がある。
【０００６】
そこで、トップジョーが径方向外側に向かってずれることを防ぐために、マスタージョーとトップジョーとの、互いに当接する面にはそれぞれ、複数の鋸刃状の突起（セレーション）が形成されており、各鋸刃状の突起はチャック本体の周方向に延在している。これらのセレーションが互いに骸合した状態で、トップジョーとマスタージョーとが固定されるので、トップジョーは、セレーションの延在する方向（周方向）と直行する方向である径方向にずれる虞がない。
【先行技術文献】
【特許文献】
【０００７】
【特許文献１】特開２０００−２８８８０９号公報
【特許文献２】実開昭５９−９３８０４号公報
【特許文献３】実開平５−１６０１７号公報
【特許文献４】特開２００９−１２１５５号公報
【発明の開示】
【発明が解決しようとする課題】
【０００８】
ワークを精度よく加工する為には、スピンドルの回転中心とワークの中心とを十分な精度で位置合わせすること、即ち、十分高い精度でワークを芯出しすることが必要である。ここで、ワークを加工している途中に、ワークを工作機械用チャックから取り外すことがありうる。その際、トップジョーをマスタージョーから取り外してしまうと、再度同じトップジョーおよびマスタージョーを用いて、同じワークを把持する場合であっても、ワークの中心がスピンドルの回転中心からずれてしまうという問題があった。
【０００９】
ここで、トップジョーはマスタージョーにボルトで固定されているが、例えば、Ｍ16の
ボルトを用いる場合に、ボルトの外形は−２０μｍの公差で製作し、ボルト穴の内径は＋２０μｍの公差で形成することが規格で定められている。そのため、トップジョーをマスタージョーにボルトで固定する際に、これらの公差の範囲内で位置ずれする可能性があるからである。もっとも、前述のように、トップジョーとマスタージョーの当接面にはそれぞれ、周方向に延在するセレーションが形成されており、これらが互いに嵌合しているので、トップジョーが半径方向にずれる虞はないが、周方向について、前述のボルトとボルト穴の公差の範囲内でずれてしまうという問題があった。
【００１０】
また、特許文献２に記載の旋盤用チャックにおける生爪は、一方向に延びる表面突条が形成された旋盤用チャックの生爪取付部と、この表面突条に嵌合する溝が形成された生爪を含んでいる。ここで、生爪に形成された溝は複数の方向に延在する溝を含んでおり、これらの複数の方向のうち、いずれかの方向に沿って生爪を固定することができる。つまり、生爪を回転させつつ生爪取付部に固定できるので、生爪がワークを把持する端面を多数形成することができる。このような旋盤用チャックにおいても、同様に、生爪を取り付ける際に、生爪取付部の表面突条の延在する方向に、前述の公差の範囲内でずれてしまうという問題がある。
【００１１】
このような問題を避けるために、一度ワーク等を取り外した後、再度ワークを取り付ける際の、ワークの芯出しの再現性が高いチャックとして、特許文献３の歯面チャッキング爪には、前述の工作機械用チャックにおけるトップジョーに代えて、親爪及び子爪を備えるチャックが開示されている。ここで、親爪は略扇形の形状であって、マスタージョーにボルトで固定される。親爪の半径方向の両側面には、それぞれ子爪が取り付けられている。ここで、親爪及び子爪の、互いに当接する面にはそれぞれ、半径方向と直行する方向に延在する複数のセレーションが形成されており、これらが互いに嵌合した状態で子爪が親爪に固定される。
【００１２】
そして、ワークを把持する際には、親爪に子爪を取り付けた状態で、親爪がマスタージョーに固定され、マスタージョーとともに径方向中心側に向かってエア駆動される。子爪の径方向中心側の面がワークの外周面に当接してワークを保持する。ワークを取り外す際、たとえ子爪を取り外したとしても、親爪をマスタージョーから取り外さなければ、再度ワークを芯出しする際に再現性が保たれる。なぜならば、子爪と親爪との当接面には、前述のようにセレーション加工が施されているので、子爪の径方向の位置決めの再現性は高い。さらに、親爪を取り外さない限り、子爪の位置が周方向にずれる虞はないからである。
【００１３】
しかしながら、上述の親子爪を採用したチャックにおいては、一旦、親爪をマスタージョーから取り外すと、ワークの芯出しの再現性がなくなるため、親爪を常時マスタージョーに取り付けておく必要がある。また、旋盤に常時親爪が取り付けられていると、他の用途で旋盤を利用できなくなるという不都合が生じる。また、親爪及び子爪が必要となるので、チャックの重量が大きくなり、加工時にスピンドルの回転数を高くすることができない。さらに、チャックの部品点数が多くなるので、チャックの取り付け調整などの段取り時間及び部品交換にかかる時間が長くなり、作業時間の短縮が図れないという点も問題となる。
【００１４】
一方、特許文献４に記載のチャック機構は、マスタージョー側に交差する複数のセレーションを形成しなければならない。セレーションが複数形成されるため、各セレーションの形成時の誤差が累積される。また、ソフトジョー側も、交差する複数のセレーションを形成するため、マスタージョー側と同様に、各セレーションの形成時の誤差が累積される。従って、マスタージョーとソフトジョーの嵌合が不完全になる虞がある。また、加工に費用が掛かるという問題がある。
【００１５】
本発明の目的は、部品点数が少ないチャック機構であって、高精度でワークの芯出しができ、且つ、芯出しの再現性が高いチャック機構、爪材、及び、そのようなチヤツク機構
を備える旋盤を提供することである。
【課題を解決するための手段】
【００１６】
（１）本発明は、工作物を把持するチャック機構であって、所定の回転軸を中心に回転可能であるステージと、前記ステージに設けられた複数のマスタージョーであって、前記ステージの前記回転軸に向う方向に沿って移動可能であって且つ、第１の方向に延在する複数のマスター側セレーション及び第１の方向と異なる第２の方向に延在するレールが取り付けられたマスター側セレーション面を有するマスタージョーと、前記マスタージョーの前記マスター側セレーション面にそれぞれ固定されて、前記工作物を把持する複数のソフトジョーであって、前記マスター側セレーション面と対向して配備され、且つ、前記第１の方向に延在して、前記マスター側セレーションに嵌合するソフト側セレーション、及び、前記第２の方向に延在して、前記レールが嵌合するレール溝が形成されたソフト側セレーション面を有するソフトジョーと、を備えることを特徴とする。
【００１７】
上記構成によれば、マスタージョー側セレーション面には、異なる２つの方向にマスター側セレーションとレールが配置されており、ソフト側セレーション面には、異なる前記２つの方向に延在し、前記マスター側セレーションとレールとそれぞれ嵌合するソフト側セレーションとレール溝が形成されているので、マスタージョーのセレーション面と、ソフトジョーのセレーション面とを対向させて、マスタージョーにソフトジョーを固定した場合に、ソフトジョーがマスタージョーのセレーション面の面方向にずれる虞がない。その為、マスタージョーにソフトジョーを取り付ける際の、取付の精度を高くすることができるとともに、取付の再現性も高くなる。
【００１８】
また、交差する複数のセレーションを形成する必要がなく、安価に製造できると共に、第２の方向においてセレーション成形時の誤差の累積の影響を受けず、さらに、レールとレール溝の嵌合において第１の方向の位置決めを確実に行うことができ、高精度でワークの芯出しを行うことができ、安価にして取付の再現性を向上することができる。
【００１９】
（２）また、本発明は、前記第１の方向と第２の方向が、互いに直交する方向であることを特徴とする。
【００２０】
上記構成によれば、マスター側セレーションとレール、及び、ソフト側セレーションとレール溝が互いに直交する方向に延在しているので、これら直交する２つの方向について、ソフトジョーのずれが抑制される。そのため、ソフトジョーがマスタージョーのセレーション面の面方向（セレーション面内の任意の方向）にずれる虞がなく、ソフトジョーの取付の再現性が向上する。
【００２１】
（３）また、本発明は、前記第１の方向が前記ソフトジョーの幅方向（ステージの周方向）であり、前記第２の方向が前記ソフトジョーの長さ方向（ステージの半径方向）である。
【００２２】
上記構成によれば、マスター側セレーションとソフト側セレーションがマスタージョーの幅方向に形成され、レールとレール溝がマスタージョーの長さ方向に形成されているので、マスタージョーが、前記ステージの前記回転軸に向う方向とこれに交差する方向のずれが確実に防止される。
【００２３】
（４）また、本発明は、前記レールより前記レール溝が長く、複数の前記レールが前記第２の方向に並んで設けられている。
【００２４】
上記構成によれば、レール溝にレールを係合することにより、第１の方向に位置合わせすることができ、この状態で第２の方向において個々のセレーションの寸法単位で位置決することができる。さらに、複数のレールがレール溝に嵌合することにより、マスタージョーに対するソフトジョーの第１の方向に対する位置決めが正確になされる。
【００２５】
また、レール及びレール溝の断面は、セレーションの断面より大きく、マスタージョーにソフトジョーを取付ける際、レール溝にレールの先端側が入った後、セレーション同士が嵌合するから、マスタージョーに対してソフトジョーを第２の方向に位置合わせしながら近付けて、セレーション同士を嵌合しようとすると、レールがレール溝に嵌合する際、第１の方向に位置合わせがなされるため、主として第２の方向のみを注意しながらソフトジョーをマスタージョーの正しい位置に取り付けることができ、その作業を簡便に行うことができる。
【００２６】
（５）また、本発明は、前記レールの断面は前記マスター側セレーションの断面より大きく、前記レール溝の断面は前記ソフト側セレーションの断面より大きく、前記レール及び前記レール溝は断面が略三角形であり、前記レールの先端が面取りされている。
【００２７】
上記構成によれば、大きな断面のレールとレール溝との嵌合により取付強度に優れた位置あわせを行うことができる。また、断面が略三角形のレール溝に、先鋭なレールがスムーズに嵌合する。この際、レールの先端が面取りされているので、ソフトジョーのレール溝と嵌合する際に、先端がソフトジョーのレール溝の谷間に当接する虞がなく、レールの斜面とレール溝の斜面とを確実に面接触させることができ、ソフトジョーの取り付けの再現性を向上させることができる。
【００２８】
（６）また、本発明は、前記マスタージョーと前記ソフトジョーとを連結する連結部材を有し、前記各マスタージョーには、前記連結部材を挿入連結する溝が形成され、この溝に連結した前記連結部材と前記ソフトジョーとを螺着手段により連結し、この螺着手段を挟んだ両側に前記レールが配置されている。
【００２９】
上記構成によれば、寸法公差が発生する虞がある螺着手段を挟むようにしてレール及びレール溝を配置することにより、確実な位置決めができると共に、螺着手段を外した後の再度の取り付けでも、再現性の高いものになる。
【００３０】
（７）また、本発明は、前記ステージは、略円形の固定ステージと、前記固定ステージの径方向に移動可能に設けられ、且つ、前記マスタージョーが挿入される溝が形成された複数の可動ステージを有し、前記複数のマスタージョーは、それぞれ、前記複数の可動ステージの前記溝の内側に固定されている。
【００３１】
上記構成によれば、マスタージョーは、可動ステージに固定されているので、マスタージョーも可動ステージとともに固定ステージの径方向に移動することができる。
【００３２】
（８）また、本発明は、前記マスタージョーと前記ソフトジョーとをそれぞれ連結する連結部材を有し、前記各マスタージョーには、前記連結部材を挿入する溝が形成されている。
【００３３】
上記構成によれば、チャック機構が、マスタージョーとソフトジョーとを連結する連結部材を有しているので、ソフトジョーをマスタージョーに確実に連結できる。また、マスタージョーに連結部材を挿入する溝が形成されているので、連結部材の位置決めが容易となり、ソフトジョーをマスタージョーに固定する際の手間が軽減される。
【００３４】
（９）また、本発明は、前記マスタージョーは、本体と、この本体の先端側と基端側に設けられ該本体より幅広な先端，基端幅広部とを有し、  前記可動ステージには、前記マスタージョーに対応して、前記溝に前記本体を挿入する本体溝部と、前記先端，基端幅広部を挿入する先端，基端幅広溝部が設けられている。
【００３５】
上記構成によれば、溝の幅広溝部に連結部材の幅広部を挿入することにより、溝の深さ方向に連結部材が抜け出る虞がない。
【００３６】
（１０）また、本発明は、前記各ソフトジョーの前記ソフト側セレーション面には、前記連結部材の本体の先端と嵌合する嵌合溝が形成されている。
【００３７】
上記構成によれば、連結部材の脚部がソフトジョーに当接することが防止され、確実にソフトジョーとマスタージョーとを連結できる。
【００３８】
（１１）また、本発明は、前記連結部材は、前記溝の深さ方向の長さが、前記溝の深さよりも短く、前記連結部材を前記溝に挿入したとき、前記連結部材の頂面が、前記マスタージョーの前記マスター側セレーション面よりも低く形成されている。
【００３９】
上記構成によれば、連結部材の、溝の深さ方向の長さは、溝の深さよりも短い。つまり、連結部材をマスタージョーの溝に挿入したとき、連結部材の頂面を、マスタージョーのセレーション面よりも低くすることができる。そのため、ソフトジョーの、連結部材と対向する部分に、連結部材との当接を防ぐための溝等を形成する必要がなく、ソフトジョーの構造を簡略化できる。連結部材の溝の深さ方向の長さが溝の深さよりも短い場合であっても、上述のように、ソフトジョーがマスタージョーのセレーション面の面方向にずれる虞がない。
【００４０】
（１２）また、本発明は、請求項１〜１１のいずれか１項に記載の工作機械用チャック機構を備える。
【００４１】
上記構成によれば、本発明のチャック機構を備える旋盤が提供される。本発明の旋盤によれば、本発明のチャック工作物に応じて、ソフトジョーを交換した場合に、容易且つ迅速にワークの芯出しを行うことができる。
【００４２】
（１３）また、本発明は、工作物を把持する工作機械用チャック機構に用いる爪材であって、第１の方向に延在する複数のマスター側セレーションが形成され、及び第１の方向と異なる第２の方向に延在するレールが配置されたマスター側セレーション面を有するマスタージョーと、前記マスタージョーの前記マスター側セレーション面にそれぞれ固定されて、前記工作物を把持するソフトジョーであって、前記マスター側セレーション面と対向して配置され、且つ、前記第１の方向に延在して、前記マスター側セレーションに嵌合するソフト側セレーション、及び、第１の方向に延在してレールに嵌合するレール溝が形成されたソフト側セレーション面を有するソフトジョーと、を備える。
【００４３】
上記構成によれば、マスタージョー側セレーション面には、異なる２つの方向にマスター側セレーションとレールが配置されており、ソフト側セレーション面には、異なる前記２つの方向に延在し、前記マスター側セレーションとレールとそれぞれ嵌合するソフト側セレーションとレール溝が形成されているので、マスタージョーのセレーション面と、ソフトジョーのセレーション面とを対向させて、マスタージョーにソフトジョーを固定した場合に、ソフトジョーがマスタージョーのセレーション面の面方向にずれる虞がない。その為、マスタージョーにソフトジョーを取り付ける際の、取付の精度を高くすることができるとともに、取付の再現性も非常に高くなる。
【００４４】
（１４）また、本発明は、前記第１の方向と前記第２の方向が、互いに直交する方向である。
【００４５】
上記構成によれば、マスター側セレーションとレール、及び、ソフト側セレーションとレール溝が互いに直交する方向に延在しているので、これら直交する２つの方向について、ソフトジョーのずれが抑制される。そのため、ソフトジョーがマスタージョーのセレーション面の面方向（セレーション面内の任意の方向）にずれる虞がなく、ソフトジョーの取付の再現性が向上する。
【００４６】
（１５）また、本発明は、前記マスタージョーと前記ソフトジョーとをそれぞれ連結する連結部材を有し、前記マスタージョーには、前記連結部材を挿入する溝が形成されており、前記連結部材は、前記溝の深さ方向の長さが、前記溝の深さよりも短く、前記連結部材を前記溝に挿入したとき、前記連結部材の頂面が、前記マスタージョーの前記マスター側セレーション面よりも低く形成されている。
【００４７】
上記構成によれば、連結部材の脚部がソフトジョーに当接することが防止され、確実にソフトジョーとマスタージョーとを連結できる。
【発明の効果】
【００４８】
本発明のチャック機構に係るマスタージョーとソフトジョーとを利用することにより、安価にして取付の再現性が向上し、また、部品点数の少ないチャック機構が実現できるので、チャック機構を軽量化することができ、ワークを加工する際のスピンドルの回転数を高くすることができる。
【図面の簡単な説明】
【００４９】
【図１】本発明の実施例１に係る旋盤の概略図である。
【図２】同上、チャック機構の概略図である。
【図３】同上、チャック機構のソフトジョー、マスタージョー及び固定部材の概略図である。
【図４】同上、ソフトジョーの平面図である。
【図５】同上、ソフトジョーの側面図である。
【図６】同上、一部を断面にしたソフトジョーの正面図である。
【図７】同上、マスタージョーの正面図である。
【図８】同上、マスタージョーの平面図である。
【図９】同上、マスタージョーの側面図である。
【図１０】同上、ソフトジョーとマスタージョーとの嵌合を示す概略図である。
【図１１】同上、図１１（Ａ）は、円筒形状のワークの平面図であり、図１１（Ｂ）はワークの断面図である。
【図１２】同上、チャック機構でワークを把持した状態を表す概略図である。
【図１３】同上、断面図である。
【図１４】本発明の実施例１に係る断面図である。
【発明を実施するための形態】
【００５０】
以下、本発明の実施例を説明する。
【実施例１】
【００５１】
以下、本発明の実施例１を図１〜図１３に基づいて説明する。図１に示した旋盤１００は、加工される工作物（ワーク）を把持するためのチャック機構１と、チャック機構１を回転駆動するためのモータ（駆動源）１０１と、モータ１０１の回転軸と連動して、モータ１０１により生じた回転の動力をチャック機構１に伝達するシャフト（スピンドル）１０２と、モータ１０１の動作を制御するための制御部１０３とを備える。この制御部１０３からの指令に基づいて、モータ１０１の回転方向及び回転速度等が調整される。
【００５２】
図１及び図２に示すように、チャック機構１は、シャフト１０２に対して回転可能に設けられた略円筒型のステージ１２と、ステージ１２の周方向に沿って、約１２０度間隔で取り付けられた３つのマスタージョー５０と、それぞれのマスタージョー５０に固定された３つのソフトジョー（生爪）６０と、ソフトジョー６０をマスタージョー５０に固定する固定部材（連結部材）７０とを有している。
【００５３】
前記ステージ１２は、略円筒形状の固定ステージ１３と、固定ステージに設けられた複数の（３つ）の可動ステージ１４とを備える。前記固定ステージ１３の中心軸Ｘは、シャフト１０２の延在する方向と一致しており、固定ステージ１３は、シャフト１０２に同軸に且つ回転可能に固定されている。すなわち、ステージ１２の中心軸Ｘと、シャフト１０２及び固定ステージ１３の回転軸とは同軸上に存在している。固定ステージ１３のシャフト１０２と反対側の端面１３Ａには、３つの可動ステージ１４が、固定ステージ１３の半径方向に移動（摺動）可能に設けられている。各可動ステージ１４は、中心角が約１２０°の略アーチ型の形状、即ち、中心部がくり貫かれたドーナツ型の円盤を、ほぼ３等分して得られる扇形状であり、固定ステージ１３の中心軸Ｘを中心とする円周状に、ほぼ等間隔に設けられている。これらの可動ステージ１４は、駆動機構（図示せず）によって、固定ステージ１３の半径方向に沿って駆動される。各可動ステージ１４の固定ステージ１３と反対側の端面１４Ａは、平坦な面に形成されている。なお、可動ステージ１４は、固定ステージ１３に対して高精度に位置決めすることが可能である。例えば、所定の半径位置にあった可動ステージ１４を、半径方向外側に向かって移動させた後、再び、半径方向中心側に向かって移動させて、前記所定位置に戻した際の位置のずれを、１０μｍ以下に抑えることができる。
【００５４】
各可動ステージ１４の端面１４Ａには、マスタージョー５０を取り付けるための溝１５が設けられている。この溝１５は、本体溝部１５Ｈを構成する先端溝部１５Ｓ及び基端溝部１５Ｋを有し、その先端溝部１５Ｓが基端溝部１５Ｋより僅かに幅狭に形成され、前記先端溝部１５Ｓと基端溝部１５Ｋとの間に先端幅広溝部１６Ｓを設け、基端溝部１５Ｋの基端に基端幅広溝部１６Ｋを設け、これら先端幅広溝部１６Ｓ及び基端幅広溝部１６Ｋは、前記先端溝部１５Ｓ及び基端溝部１５Ｋより幅広に形成されている。それによって、溝１５の断面形状は略土字形状になっている。なお、図示されていないが、溝１５の底面部１５Ｔには、マスタージョー５０をボルトで固定するためのネジ穴（図示せず）が形成されている。
【００５５】
マスタージョー５０は、一方向（長さ方向）に延在する金属部材であって、その断面形状は略Ｔ字型である。つまり、マスタージョー５０は、前記溝１５に対応して、本体５１と、この本体５１の先端側と基端側に設けた先端幅広部５３Ｓ及び基端幅広部５３Ｋとを有し、これら幅広部５３Ｓ，５３Ｋは前記本体５１より幅広に形成されている。また、前記溝１５に対応して、前記本体５１は先端側が基端側に比べて幅広に形成されている。そして、マスタージョー５０は、溝１５の先端幅広溝部１６Ｓ及び基端幅広溝部１６Ｋに、その先端幅広部５３Ｓ及び基端幅広部５３Ｋを嵌合した状態で、溝１５に挿入される。従って、溝１５の延在方向（ステージ１２の半径方向）に沿って溝１５に挿入されたマスタージョー５０を、溝１５の深さ方向に、つまり、可動ステージ１４の端面１４Ａに垂直に抜き出すことはできない。本体５１にはボルト穴（図示せず）が形成されており、前述の溝１５の底面部１５Ｔに形成されたネジ穴と対応させた状態で、マスタージョー５０が、可動ステージ１４の溝１５にボルトで固定される。
【００５６】
マスタージョー５０の本体５１の、基端側拡大部５３Ｋと反対側の表面（頂面、セレーション面、マスター側セレーション面）５２には、第１の方向のセレーション５５が第２の方向に並んで複数形成されていると共に、第２の方向にレール２１が設けられている。尚、レール２１は、マスタージョー５０及びソフトジョー６０より硬質で且つ耐摩耗性に優れた金属材料からなる。また、本体５１には、その長さ方向に延在する溝５７が形成されている。溝５７は、その深さ方向において、幅が異なる２つの空間（底部５７Ａ及び上部５７Ｂ）よりなる。底部５７Ａの幅は上部５７Ｂの幅よりも大きく、それによって、溝５７の断面形状は略Ｔ字形状になっている。そして、溝５７により前記表面５２は該溝５７を左右で挟む一側及び他側表面５２Ａ，５２Ａに分割されている。尚、一側及び他側表面５２Ａ，５２Ａの一方のみにセレーション５５を設けてもよい。
【００５７】
図３に示すように、本体５１の溝５７には、固定部材７０が挿入されている。固定部材７０は、一方向（長さ方向）に延在する金属部材であって、その断面形状は略Ｔ字型である。つまり、固定部材７０は、板状の頭部７１と、頭部７１から、その面方向に直交する方向（厚さ方向）に延び、且つ、頭部７１よりも幅の狭い脚部７２とを有している。固定部材７０は、頭部７１及び脚部７２がそれぞれマスタージョー５０の本体５１に形成された溝５７の底部５７Ａ及び上部５７Ｂと嵌合状態又は遊挿状態で、溝５７の長さ方向に沿って、溝５７に挿入される。マスタージョー５０を可動ステージ１４の溝１５に挿入した場合と同様に、固定部材７０の頭部７１の幅は溝５７の上部５７Ｂの幅よりも大きいので、溝５７に挿入された固定部材７０が溝５７の深さ方向に抜け出る虞はない。固定部材７０を溝５７に挿入したとき、脚部７２の頂面７２Ａは、マスタージョー５０のセレーション面５２よりも突出している。また、固定部材７０の脚部７２には、ソフトジョー６０をボルト６１で固定するためのネジ穴７２Ｂが形成されている。
【００５８】
ソフトジョー６０は、一方向（長さ方向：第２の方向）に長い略直方体の金属部材（例えば、Ｓ４５Ｃ鋼のような炭素鋼鋼材等）であって、固定部材７０にボルト６１で固定するためのボルト穴６０Ａが複数形成されている。この場合、２つのボルト穴６０Ａはソフトジョー６０の長さ方向（第２の方向）に間隔をおいて配置されている。また、ボルト穴６０Ａは、ボルト６１の頭部を挿入する径大部６０Ｂと、ボルト６１の螺子部を挿通する径小部６０Ｃとを備える。図４及び図５に示すように、ソフトジョー６０の、マスタージョー５０のセレーション面５２と当接する面（頂面、セレーション面、ソフト側セレーション面）６２には、第１の方向のセレーション６５及び第２の方向のレール溝３１が形成されている。さらに、ソフトジョー６０のセレーション面６２には、長さ方向に延在する嵌合溝たる溝６７が形成されている。溝６７の幅はマスタージョー５０の溝５７の上部５７Ｂの幅とほぼ同じであり、前記脚部７２が嵌合又は遊挿される。溝６７は、後述するように固定部材７０を用いてソフトジョー６０をマスタージョー５０に固定する際に、固定部材７０の脚部７２がソフトジョー６０に当接することを防いでいる。そして、溝６７により前記表面６２は該溝６７を左右で挟む一側及び他側表面６２Ａ，６２Ａに分割されている。
【００５９】
図９に示すように、前記セレーション６５は、第１の方向であるソフトジョー６０の幅方向に長く、且つ、セレーション面６２Ａに垂直な方向に向かって突出する複数の筋状の鋸歯６５Ａを有し、これらの鋸歯６５Ａは、所定のピッチＰ（１．５ｍｍ）でソフトジョー６０の長さ方向に並んでいる。各鋸歯６５Ａの断面形状は略正三角形であって、各鋸歯６５Ａは、面取り加工が施された先端部６５Ｂ（セレーション面６２Ａに垂直な方向の先端）と、先端部６５Ｂから傾斜する２つの斜面６５Ｃとを有する。
【００６０】
図４に示すように、マスタージョー５０のセレーション面５２に形成されたセレーション５５は、第１の方向である幅方向に長く、且つ、セレーション面６２Ａに垂直な方向に向かって突出する複数の筋状の鋸歯５５Ａを有し、この鋸歯５５Ａはマスタージョーの幅方向に形成され、それらの鋸歯５５Ａは、前記鋸歯５５Ａと同一な所定のピッチＰ（１．５ｍｍ）で長さ方向に並んでいる。各鋸歯５５Ａの断面形状は略正三角形であって、各鋸歯５５Ａは、面取り加工が施された先端部５５Ｂ（セレーション面５２に垂直な方向の先端）と、先端部５５Ｂから傾斜する２つの斜面５５Ｃとを有する。このような、所定の方向に延在し、且つ、所定のピッチで並ぶ複数の鋸歯５５Ａ，６５Ａは、例えばセレーションカッターを用いて、セレーション加工を施すことにより形成することができる。また、鋸歯５５Ａ，６５Ａの角度は５５度〜６５度、この例では６０度である。さらに、セレーション５５，６５には、幅方向両端部において、面取り部５５Ｍ，６５Ｍが形成されている。
【００６１】
また、前記レール２１は、前記ボルト穴６０Ａ，６０Ａを挟んだ左右に設けられ、即ち第１の方向において、レール２１、ボルト穴６０Ａ、レール２１が並んで設けられ、また、第２の方向において、レール２１，２１同士が同一直線上に位置する。そして、レール２１は、前記表面５２に形成された装着溝２２と、この装着溝２２に装着したレール本体２３とを備える。また、レール２１は一側及び他側表面５２Ａ，５２Ａの幅方向中央にそれぞれ位置する。さらに、レール本体２３の先端側の断面形状は略正三角形であって、面取り加工が施された先端部２３Ａ（セレーション面５２に垂直な方向の先端）と、先端部２３Ａから傾斜する２つの斜面２３Ｂとを有する。また、先端部２３Ａの角度は５５度〜６５度、この例では６０度である。尚、レール２１を一側及び他側表面５２Ａ，５２Ａの一方のみに設けてもよい。
【００６２】
また、前記レール溝３１は、前記レール２１に対応して、表面５２のセレーション６５を施した部分の全長に設けられ、第１の方向に連続して形成されている。また、レール２１は一側及び他側表面６２Ａ，６２Ａの略幅方向中央にそれぞれ位置する。尚、レール溝３１の角度はレール２１と同一である。さらに、レール溝３１の断面形状は略正三角形であり、両側に斜面３１Ａ，３１Ａを有する。また、前記表面５２の第１の方向一側（取付状態における半径方向の中央側）には、段差面３２を形成し、セレーションが設けられておらず、また、表面５２の第２の方向両側には、面取り部３３，３３Ａを設け、この面取り部３３Ａはセレーション６５を設けた表面５２と段差面３２との間に形成されている。また、前記レール溝３１は、セレーション６５を設けた表面５２の全長に形成され、段差面３２には形成されていない。
【００６３】
次に、マスタージョー５０のセレーション面５２と、ソフトジョー６０のセレーション面６２とを当接させる場合について説明する。図１０に示すように、マスタージョー５０とソフトジョー６０との長さ方向を一致させた状態で、マスタージョー５０のセレーション面５２と、ソフトジョー６０のセレーション面６２とを当接させると、まず、レール溝３１にレール２１が係入し、次に、セレーション５５とセレーション６５とが互いに嵌合する。具体的には、鋸歯５５Ａの斜面５５Ｃと、セレーション６５の鋸歯６５Ａの斜面６５Ｃとが当接する。ここで、鋸歯５５Ａの先端部５５Ｂと、鋸歯６５Ａの先端部６５Ｂには、それぞれ面取り加工が施されている。そのため、これらの先端部５５Ｂ、６５Ｂが対向するセレーション面６２、５２に当接することはなく、鋸歯５５Ａの斜面５５Ｃと、鋸歯６５Ａの斜面６５Ｃとが面接触することができる。
【００６４】
ここで、マスタージョー５０のセレーション面５２に形成されている鋸歯５５Ａの並ぶピッチは、鋸歯６５Ａの並ぶピッチと同一である。さらに、鋸歯５５Ａは、鋸歯６５Ａの延在する方向に対応して、マスタージョー５０の長さ方向に並んでいる。そのため、マスタージョー５０のセレーション面５２に形成された鋸歯５５Ａは、ソフトジョー６０のセレーション面６２の鋸歯６５Ａと嵌合する。また、レール２１はレール溝３１に嵌合する。そのため、ソフトジョー６０を、長さ方向について１８０度反転させて使用することも可能である。
【００６５】
次に、上述のチャック機構１を備える旋盤１００を用いて、円筒型のワーク８０の内筒面８０Ａを加工する手順について、以下に説明する。図１２に示すように、ワーク８０は内筒面８０Ａ及び外筒面８０Ｂを有する略円筒形状の金属部材である。
【００６６】
まず、可動ステージ１４にチャック機構１を取り付ける。具体的には、まず、３つの可動ステージ１４を駆動して、例えば、最も中心寄りの位置などの所定の半径位置に位置付ける。次に、図２に示されるように、可動ステージ１４に形成された溝１５に、マスタージョー５０を挿入して、ボルトで固定する。次に、マスタージョー５０の本体５１に形成された溝５７に、固定部材７０を挿入する。さらに、マスタージョー５０のセレーション面５２と、ソフトジョー６０のセレーション面６２とを対向させて、ソフトジョー６０のボルト穴６０Ａにボルト６１を挿入して、固定部材７０に固定する。すなわち、ソフトジョー６０と固定部材７０とをボルト６１で締めして、固定部材７０の頭部７１とソフトジョー６０のセレーション面６２Ａとの間に、マスタージョー５０の本体５１を挟んだ状態で締め付ける。これにより、ソフトジョー６０がマスタージョー５０に対して固定される。
【００６７】
このとき、各可動ステージ１４に取り付けられるソフトジョー６０の、可動ステージ１４の半径方向（以下、単に半径方向と呼ぶ）中心側の端面６０Ｔと、可動ステージ１４の中心Ｏとの距離がそれぞれ、ワーク８０の外径よりも小さくなるように配置し、上述したようにソフトジョー６０をマスタージョー５０に固定する。
【００６８】
次に、旋盤１００を駆動して固定ステージ１３（可動ステージ１４）を回転させ、ソフトジョー６０の先端を切削加工して、ソフトジョー６０の端面６０Ｂに円筒面に対応する把持面６９Ａを形成する。これにより、把持面６９Ａの曲率中心は、固定ステージ１３及び可動ステージ１４の中心、即ち、固定ステージの回転軸と完全に一致することになる。つまり、把持面６９Ａは、固定ステージ１３及び可動ステージ１４に対して、芯出しされる。
【００６９】
次に、駆動機構（図示せず）により、可動ステージ１４を固定ステージ１３の半径方向外側に向かって駆動する。ソフトジョー６０の端面６０Ｂ（把持面６９Ａ）が半径方向外側に向かって広がるので、ソフトジョー６０の端面６０Ｂの内側に、ワーク８０を配置することができる。可動ステージ１４の中心にワーク８０を配置した後、可動ステージ１４を再び半径方向内側に向かって駆動して、図１２に示すように、ワーク８０の外筒面８０Ｂをソフトジョー６０の把持面６９Ａで把持する。ここで、前述の通り、可動ステージ１４を半径方向外側に駆動した後、再び半径方向内側に駆動してもとの位置に戻した場合であっても、可動ステージ１４の半径方向の位置がずれることはない。つまり、可動ステージ１４の駆動前後を通じて、把持面６９Ａの曲率中心は可動ステージ１４の中心Ｏに対して、１ミクロン以下の精度で完全に一致している。従って、把持面６９Ａに把持されるワーク８０の中心を、１ミクロン以下の精度で、可動ステージ１４の中心Ｏに一致させることができる。
【００７０】
このようにワーク８０を正確な位置に保持するには、ソフトジョー６０の半径方向位置の精度を上げることが必要であり、即ち第１の方向のセレーション５５，６５の嵌合が重要であることが解る。
【００７１】
上述のようにして、ワーク８０の芯出しを行った後、旋盤１００を駆動して、ワーク８０が固定された可動ステージ１４及び固定ステージ１３を回転させつつ、ワーク８０の内筒面８０Ａを切削加工する。
【００７２】
ここで、前述のように、従来の旋盤のチャック機構においては、マスタージョーからソフトジョーを取り外した後、再び、ソフトジョーをマスタージョーに取り付けた場合には、ソフトジョーの把持面の曲率中心が固定ステージ等の中心からずれる虞があった。そのため、ソフトジョーをマスタージョーに取り付けるたびに、芯出しを行わなければならなかった。つまり、ソフトジョーをマスタージョーに取り付けるたびに、ソフトジョーの端面の加工をやり直して、新たに、芯出しされた把持面を形成する必要があった。そのため、ソフトジョーを交換するごとに、上述の芯出しの工程に時間と労力が費やされるという問題があった。
【００７３】
これに対して、本実施形態のチャック機構１は、マスタージョー５０からソフトジョー６０を取り外した後、再び、ソフトジョー６０をマスタージョー５０に取り付ける場合において、取り付けの再現性が高く、ソフトジョー６０の把持面６９Ａの曲率中心と固定ステージ等の中心Ｏとがずれることはない。そのため、再度ソフトジョー６０をマスタージョー５０に取り付けた際に、ソフトジョーの端面の加工をやり直す必要がなく、上述の芯出しの工程を大幅に軽減することができる。
【００７４】
本発明に係るチャック機構１において、ソフトジョー６０の取り付けの再現性を非常に高くすることができる。即ちソフトジョー６０のセレーション面６２の一側及び他側表面６２Ａ，６２Ａには、周方向に延在するセレーション６５（複数の鋸歯６５Ａ）が形成され、マスタージョー５０のセレーション面５２に形成された鋸歯５５Ａと嵌合している。ここで、図１０に示すように、セレーション６５の各鋸歯６５Ａの斜面６５Ｃと、鋸歯５５Ａの斜面５５Ｃとは、互いに面接触している。そのため、ソフトジョー６０がマスタージョー５０に配置される際に、鋸歯６５Ａが延びる周方向に直交する方向（半径方向）にずれる虞がないため、この方向についての取り付け位置の再現性が非常に高くなる。
【００７５】
さらに、ソフトジョー６０のセレーション面６２の一側及び他側表面６２Ａ，６２Ａには、それぞれレール溝３１，３１が形成され、マスタージョー５０のセレーション面５２に形成されたレール２１と嵌合している。また、レール２１の先端部２３Ａの斜面２３Ｂと、レール溝３１の斜面３１Ａとは、互いに面接触しているので、ソフトジョー６０がマスタージョー５０に配置される際に、半径方向に直交する方向（周方向）にずれる虞がないため、この方向についての取り付け位置の再現性も非常に高くなる。
【００７６】
つまり、レール溝３１にレール２１を係合することにより、第１の方向に正確に位置合わせすることができ、この状態で第２の方向において個々のセレーション５５，６５の寸法単位で位置決することができる。さらに、複数のレール２１がレール溝３１に嵌合することにより、マスタージョー５０に対するソフトジョー６０の第１の方向に対する位置決めが正しくなされる。しかも、交差する複数のセレーションを形成する必要がなく、安価に製造できると共に、第２の方向においてセレーション成形時の誤差の累積の影響を受けず、さらに、レール２１とレール溝３１の嵌合において第１の方向の位置決めを確実に行うことができ、高精度でワークの芯出しを行うことができ、安価にして取付の再現性を向上することができる。
【００７７】
また、実施例上の効果として、取付状態で、レール２１は、ソフトジョー６０のボルト穴６０Ａの小径部６０Ｃの両側に位置するから、レール２１とレール溝３１の嵌合によりボルト穴６０Ａの位置を正確な位置に設定し、マスタージョー５０に対するソフトジョー６０の取り付け精度を向上することができる。さらに、マスタージョー５０にレール２１を設けたから、ソフトジョー６０を安価に製造することができる。また、ソフトジョー６０の表面５２の第２の方向両側には、面取り部３３，３３Ａを設けたから、ソフトジョー６０の取り扱いで、表面５２両側の鋸歯５５Ａの損傷を防止できる。さらに、セレーション５５，６５には、幅方向両端部において、面取り部５５Ｍ，６５Ｍが形成されていから、鋸歯５５Ａ，６５Ａの両端側の損傷を防止できる。また、四箇所のレール２１及びレール溝３１により確実な位置決めがなされる。
【実施例２】
【００７８】
図１４は、本発明の実施例２を示し、上記実施例１と同一部分に同一符号を付し、その詳細な説明を省略して詳述する。この例では、固定部材７０の脚部７２の長さは、マスタージョー５０の溝５７の深さよりも短く、固定部材７０をマスタージョー５０の溝５７に挿入したとき、固定部材７０の頂面７２が、マスタージョー５０のセレーション面５２よりも低く形成されている。したがって、ソフトジョー６０には、溝６７を形成する必要がなく、表面６２の幅方向全長に鋸歯６５Ａを形成することができる。
【００７９】
このように本実施例では、溝６７と脚部７２の嵌合がないため、レール２１とレール溝３１によりマスタージョー５０とソフトジョー６０の第２の方向（幅方向）の位置決めが正確になされる。
【００８０】
なお、上記実施形態等において、マスタージョー及びソフトジョーの大きさ、材料、形状及び配置などは、ワークの形状及び材質に合わせて任意に設定しうる。例えば、ワークが略円筒形あるいは円環状の形状でなく、多角柱の形状である場合であっても、ソフトジョーの形状をワークの形状に適合させることにより本発明のチャック機構として利用しうる。さらに、上記実施形態では、ワークを外側から把持する場合を例に挙げて説明してきたが、ワーク８０を内側から把持する際にも、本発明のチャック機構を用いることができる。
【００８１】
上記実施形態において、チャック機構のマスタージョーは、固定ステージの径方向に移動可能である可動ステージ上に固定されていた。しかしながら、マスタージョーが、例えばエア、油圧などを利用した駆動機構により、固定ステージの径方向に移動可能に設けられていてもよい。また、必ずしも固定部材が必要ではなく、例えば、マスタージョーにネジ孔が形成されるなどして、ソフトジョーがマスタージョーに直接ボルト等で固定されていてもよい。
【００８２】
上記実施形態においては、チャック機構は工作機械としての旋盤に取り付けられていたが、本発明のチャック機構を備える工作機械は、旋盤に限られない。上記実施形態の旋盤においては、チャック機構に固定されたワークを、高速回転させながら、ワークを加工していた。それに限らず、例えば、フライス盤及びマシニングセンターのように、ワークをチャック機構に固定した状態で、高速に移動する刃部を用いてワークを加工する工作機械に本発明のチャック機構を用いることもできる。
【００８３】
また、上記実施例では、図４に示したように、レールを第２の方向において２つ設ける例を示したが、レールは１つでも、３つ以上でもよく、例えばチャック機構（ステージ）の直径が３００ｍｍ以上のものにおいては、レールを第２の方向において、等間隔で３つ設けることが好ましい。
【符号の説明】
【００８４】
１  チャック機構
１２  ステージ
１３  固定ステージ
１４  可動ステージ
１５  溝（マスタージョーが挿入される溝）
１５Ｈ  本体溝部
１６Ｓ  先端幅広溝部
１６Ｋ  基端幅広溝部
２１  レール
３１  レール溝
５０  マスタージョー
５１  本体
５２  表面
５３Ｓ  先端幅広部
５３Ｋ  基端幅広部
５５  セレーション
５７  溝（連結部材を挿入連結する溝）
６０  ソフトジョー（生爪）
６５  セレーション
６７  溝（嵌合溝）
７０  固定部材（連結部材）